(57)【特許請求の範囲】
【請求項１】
圧縮機(１),室外熱交換器(３),第１減圧器(４),第１室内熱交換器(５),第２減圧器(６)および第２室内熱交換器(７)とを環状に接続して構成された冷媒回路を備え、冷房サイクルにより再熱ドライ運転を行う空気調和機において、
上記圧縮機(１)の入力電流を検出する電流センサ(１４)と、
再熱ドライ運転中に、上記電流センサ(１４)により検出された上記圧縮機(１)の入力電流が所定値よりも小さいという停止条件を満足するとき、上記圧縮機(１)の運転を所定時間停止する制御部(１１)を備えたことを特徴とする空気調和機。
【請求項２】
圧縮機(１),室外熱交換器(３),第１減圧器(４),第１室内熱交換器(５),第２減圧器(６)および第２室内熱交換器(７)とを環状に接続して構成された冷媒回路を備え、冷房サイクルにより再熱ドライ運転を行う空気調和機において、
室内温度を検出する室内温度センサ(２７)と、
上記第２室内熱交換器(７)の温度を検出する室内熱交換器温度センサ(２６)と、
再熱ドライ運転中に、上記室内温度センサ(２７)により検出された室内温度と、上記室内熱交換器温度センサ(２６)により検出された上記第２室内熱交換器(７)の温度との温度差が所定値よりも小さいという停止条件を満足するとき、上記圧縮機(１)の運転を所定時間停止する制御部(２１)とを備えたことを特徴とする空気調和機。
【請求項３】
圧縮機(１),室外熱交換器(３),第１減圧器(４),第１室内熱交換器(５),第２減圧器(６)および第２室内熱交換器(７)とを環状に接続して構成された冷媒回路を備え、冷房サイクルにより再熱ドライ運転を行う空気調和機において、
室外温度を検出する室外温度センサ(２５)と、
上記室外熱交換器(３)の温度を検出する室外熱交換器温度センサ(２４)と、
再熱ドライ運転中に、上記室外温度センサ(２５)により検出された室外温度と、上記室外熱交換器温度センサ(２４)により検出された上記室外熱交換器(３)の温度との温度差が所定値よりも小さいという停止条件を満足するとき、上記圧縮機(１)の運転を所定時間停止する制御部(２１)とを備えたことを特徴とする空気調和機。
【請求項４】
請求項１乃至３のいずれか１つに記載の空気調和機において、
上記停止条件を満足し、かつ、上記圧縮機(１)の運転周波数が所定周波数よりも大きいという停止条件を満足するとき、上記制御部(１１)は上記圧縮機(１)の運転を上記所定時間停止することを特徴とする空気調和機。
【請求項５】
請求項１乃至４のいずれか１つに記載の空気調和機において、
上記制御部(１１,２１)は、上記停止条件が所定時間継続したときに上記圧縮機(１)の運転を上記所定時間停止することを特徴とする空気調和機。
【発明の詳細な説明】
【０００１】
【発明の属する技術分野】
この発明は、冷房サイクルによる再熱ドライ運転を行う空気調和機に関する。
【０００２】
【従来の技術】
従来、空気調和機としては、図５に示すように、圧縮機１,四路弁２,室外熱交換器３,電動膨張弁４,第１室内熱交換器５,室内用電動膨張弁６,室内熱交換器７およびアキュムレータ８で構成された冷媒回路を備え、冷房サイクルで再熱ドライ運転を行うものがある。上記構成の空気調和機において、圧縮機１から吐出された高圧冷媒は、室外ファン(図示せず)が停止している室外熱交換器３と、全開状態の電動膨張弁４とを介して第１室内熱交換器５に流れ、第１室内熱交換器５で凝縮した後、室内用電動膨張弁６で減圧される。そして、減圧された低圧冷媒は、第２室内熱交換器７で蒸発した後、四路弁２,アキュムレータ８を介して圧縮機１の吐出側に戻る。こうして、第１室内熱交換器５で室内空気を加熱する一方、第２室内熱交換器７で室内空気を除湿,冷却することによって、室内温度を下げることなく、除湿を行う。
【０００３】
【発明が解決しようとする課題】
ところで、上記空気調和機では、室外熱交換器３で熱交換(凝縮)しないのが理想であるが、自然風等により過大な熱交換が行われると、特に室内温度が高い場合に室内側の第１室内熱交換器５で冷媒の蒸発が起こり、第１室内熱交換器５でガス冷媒が増加するため、室内側の電動膨張弁６が閉塞状態となって冷媒が流れなくなる。この場合、ポンプダウンに近い運転となり、正常な再熱ドライ運転ができなくなると共に、冷媒回路に冷媒が循環しないため、冷媒循環による圧縮機１のモータの冷却ができず、モータコイル温度の異常上昇によりレアショートに至る恐れもある。
【０００４】
そこで、この発明の目的は、冷房サイクルによる再熱ドライ運転時に室内側の減圧器が閉塞状態で連続運転されるのを防止して、圧縮機の信頼性を向上できると共に、快適な再熱ドライ運転を行うことができる空気調和機を提供することにある。
【０００５】
【課題を解決するための手段】
上記目的を達成するため、請求項１の空気調和機は、圧縮機,室外熱交換器,第１減圧器,第１室内熱交換器,第２減圧器および第２室内熱交換器とを環状に接続して構成された冷媒回路を備え、冷房サイクルにより再熱ドライ運転を行う空気調和機において、上記圧縮機の入力電流を検出する電流センサと、上記電流センサにより検出された上記圧縮機の入力電流が所定値よりも小さいという停止条件を満足するとき、上記圧縮機の運転を所定時間停止する制御部を備えたことを特徴としている。
【０００６】
上記請求項１の空気調和機によれば、冷房サイクルによる再熱ドライ運転時、第１減圧器を全開にする一方、第２減圧器を絞り、上記圧縮機から吐出された高圧冷媒は、室外熱交換器,第１減圧器を通って第１室内熱交換器で凝縮して放熱し、凝縮した冷媒は、第２減圧器で減圧された後、第２室内熱交換器で蒸発して、第２室内熱交換器で室内空気の除湿と冷却が行われる。このようにして、室内空気を第１室内熱交換器で暖め、第２室内熱交換器で除湿,冷却することによって、室内温度を下げることなく、快適な再熱ドライ運転を行う。ところが、再熱ドライ運転中に上記室外熱交換器で自然風等により過大な熱交換が行われると、室内温度が特に高いときに凝縮器として働くべき室内側の第１室内熱交換器で冷媒の蒸発が起こり、第１室内熱交換器でガス冷媒が増加するために、室内側の第２減圧器が閉塞状態または閉塞状態に近い状態になって冷媒が流れにくくなる。このとき、冷媒循環がほとんどないため、圧縮機の負荷が軽くなり正常な再熱ドライ運転時に比べて圧縮機の入力電流が小さくなる。したがつて、上記圧縮機の入力電流が所定値よりも小さくなったとき、冷媒循環が止まっているものとして、制御部により運転を所定時間停止することによって、再熱ドライ運転時に室内側の減圧器が閉塞状態で連続運転されるのを防止して、圧縮機の信頼性を向上できると共に、快適な再熱ドライ運転を行うことができる。
【０００７】
また、請求項２の空気調和機は、圧縮機,室外熱交換器,第１減圧器,第１室内熱交換器,第２減圧器および第２室内熱交換器とを環状に接続して構成された冷媒回路を備え、冷房サイクルにより再熱ドライ運転を行う空気調和機において、室内温度を検出する室内温度センサと、上記第２室内熱交換器の温度を検出する室内熱交換器温度センサと、上記室内温度センサにより検出された室内温度と、上記室内熱交換器温度センサにより検出された上記第２室内熱交換器の温度との温度差が所定値よりも小さいという停止条件を満足するとき、上記圧縮機の運転を所定時間停止する制御部とを備えたことを特徴としている。
【０００８】
上記請求項２の空気調和機によれば、再熱ドライ運転中に上記室外熱交換器で自然風等により過大な熱交換が行われると、室内温度が特に高いときに凝縮器として働くべき室内側の第１室内熱交換器で冷媒の蒸発が起こり、第１室内熱交換器でガス冷媒が増加するために、室内側の第２減圧器が閉塞状態または閉塞状態に近い状態になって冷媒が流れにくくなる。このとき、冷媒循環がほとんどないため、正常な再熱ドライ運転時に比べて、室内温度と第２室内熱交換器の温度との温度差がほとんど無くなる。したがって、上記室内温度センサにより検出された室内温度と室内熱交換器温度センサにより検出された第２室内熱交換器の温度との温度差が所定値よりも小さくなったとき、冷媒循環が止まっているものとして、制御部により運転を所定時間停止することによって、再熱ドライ運転時に室内側の減圧器が閉塞状態で連続運転されるのを防止して、圧縮機の信頼性を向上できると共に、快適な再熱ドライ運転を行うことができる。
【０００９】
また、請求項３の空気調和機は、圧縮機,室外熱交換器,第１減圧器,第１室内熱交換器,第２減圧器および第２室内熱交換器とを環状に接続して構成された冷媒回路を備え、冷房サイクルにより再熱ドライ運転を行う空気調和機において、室外温度を検出する室外温度センサと、上記室外熱交換器の温度を検出する室外熱交換器温度センサと、上記室外温度センサにより検出された室外温度と、上記室外熱交換器温度センサにより検出された上記室外熱交換器の温度との温度差が所定値よりも小さいという停止条件を満足するとき、上記圧縮機の運転を所定時間停止する制御部とを備えたことを特徴としている。
【００１０】
上記請求項３の空気調和機によれば、再熱ドライ運転中に上記室外熱交換器で自然風等により過大な熱交換が行われると、室内温度が特に高いときに凝縮器として働くべき室内側の第１室内熱交換器で冷媒の蒸発が起こり、第１室内熱交換器でガス冷媒が増加するために、室内側の第２減圧器が閉塞状態または閉塞状態に近い状態になって冷媒が流れにくくなる。このとき、冷媒循環がほとんどないため、正常な再熱ドライ運転時に比べて、室外温度と室外熱交換器の温度との温度差がほとんど無くなる。したがって、上記室外温度センサにより検出された室外温度と室外熱交換器温度センサにより検出された室外熱交換器の温度との温度差が所定値よりも小さくなったとき、冷媒循環が止まっているものとして、制御部により運転を所定時間停止することによって、再熱ドライ運転時に室内側の減圧器が閉塞状態で連続運転されるのを防止して、圧縮機の信頼性を向上できると共に、快適な再熱ドライ運転を行うことができる。
【００１１】
また、請求項４の空気調和機は、請求項１乃至３のいずれか１つの空気調和機において、上記停止条件を満足し、かつ、上記圧縮機の運転周波数が所定周波数よりも大きいという停止条件を満足するとき、上記制御部は上記圧縮機の運転を上記所定時間停止することを特徴としている。
【００１２】
上記請求項４の空気調和機によれば、上記圧縮機の運転周波数を低くして、再熱ドライ運転の能力を下げた場合、例えば、圧縮機の入力電流のばらつきが大きくなったり、室内温度と第2室内熱交換器の温度との温度差や室外温度と室外熱交換器の温度との温度差がほとんどなくなったりするので、運転周波数が所定周波数以下のときは圧縮機を停止する条件から除外することによって、誤検出により圧縮機の停止を防止できる。
【００１３】
また、請求項５の空気調和機は、請求項１乃至４のいずれか１つの空気調和機において、上記制御部は、上記停止条件が所定時間継続したときに上記圧縮機の運転を上記所定時間停止することを特徴としている。
【００１４】
上記請求項５の空気調和機によれば、上記停止条件が所定時間継続したときに上記圧縮機の運転を所定時間停止することによって、上記停止条件を確実に判定して、誤判定による圧縮機の停止を防止できる。
【００１５】
【発明の実施の形態】
以下、この発明の空気調和機を図示の実施の形態により詳細に説明する。
【００１６】
（第１実施形態）
図１はこの発明の第１実施形態の空気調和機の概略ブロック図を示している。なお、この空気調和機の冷媒回路は、図５に示す従来の空気調和機と同一の構成をしており、同一構成部は説明を省略して、図５を援用する。
【００１７】
図１において、１１は制御部としてのマイクロコンピュータ(以下、マイコンという)、１２は上記マイコン１１により制御される圧縮機１を有する冷媒回路部、１３は上記圧縮機１の回転数を検出する回転数センサ、１４は上記圧縮機１の入力電流を検出する電流センサである。上記冷媒回路部１２は、図５と同様の構成をしており、冷房サイクルによる再熱ドライ運転において、四路弁２を実線の切換位置に切り換えて、圧縮機１を起動する。そして、上記圧縮機１から吐出された高圧冷媒は、室外熱交換器３と全開状態の第１減圧器としての電動膨張弁４とを介して第１室内熱交換器５に流れ、第１室内熱交換器５で凝縮した後、第２減圧器としての室内用電動膨張弁６で減圧される。次に、減圧された低圧冷媒は、第２室内熱交換器７で蒸発した後、四路弁２,アキュムレータ８を介して圧縮機１の吐出側に戻る。
【００１８】
上記構成の空気調和機において、冷房サイクルによる再熱ドライ運転時、上記冷媒回路部の室外熱交換器３(図５に示す)で自然風等により過大な熱交換が行われると、特に、室内温度が高いときに室内側の第１室内熱交換器５(図５に示す)で冷媒の蒸発が起こり、第１室内熱交換器５でガス冷媒が増加することによって、室内側の電動膨張弁６(図５に示す)が閉塞状態となって冷媒が流れなくなる。このとき、冷媒循環がないため、圧縮機１の負荷が軽くなって、正常な再熱ドライ運転時に比べて圧縮機１の入力電流が小さくなる。したがって、冷媒循環がほとんどないときの圧縮機１の入力電流近傍の値を、圧縮機１の入力電流を判定する所定値に設定することによって、上記圧縮機１の入力電流が所定値以下になったことを検知して、冷媒循環が止まっていることを知り、圧縮機１の運転を一旦停止することが可能となる。
【００１９】
図２は上記空気調和機のマイコン１１の動作を示すフローチャートを示しており、マイコン１１の冷媒づまりを検知して運転を停止する処理を図２に従って以下に説明する。
【００２０】
まず、再熱ドライ運転がスタートすると、ステップＳ１で運転周波数が所定値ＦＧＡＳ１(例えば６０Ｈz)を越えているか否かを判別して、運転周波数が所定値ＦＧＡＳ１以下と判別すると、ステップＳ１を繰り返す一方、運転周波数が所定値ＦＧＡＳ１を越えていると判別すると、ステップＳ２に進む。
【００２１】
次に、ステップＳ２で圧縮機１の電流値が判定値(＝ａ×運転周波数＋ｂ)未満か否かを判別して、電流値が判定値以上であると判別すると、ステップＳ２を繰り返す一方、電流値が判定値未満であると判別すると、ステップＳ３に進む。
【００２２】
次に、ステップＳ３で運転周波数が所定値ＦＧＡＳ１を越え、かつ、電流値が判定値未満である状態が所定時間ＴＧＡＳ１(例えば１０分間)継続したか否かを判別して、継続していないと判別すると、再びステップＳ１に戻る一方、継続したと判別すると、ステップＳ４に進む。
【００２３】
そして、ステップＳ４で一旦、運転を停止し、所定時間(例えば３分間)経過後に圧縮機１の再起動を行う。
【００２４】
このように、上記圧縮機１の入力電流が所定値よりも小さくなったとき、室内用電動膨張弁６の閉塞により冷媒循環が止まっているものと判定して、制御部１１により運転を一旦停止することによって、室内用電動膨張弁６の閉塞状態が続くのを防いで、圧縮機１の信頼性を向上できると共に、快適な再熱ドライ運転を行うことができる。
【００２５】
また、上記圧縮機１の運転周波数を低くして、再熱ドライ運転の能力を下げた場合、圧縮機１の入力電流のばらつきが大きくなるので、運転周波数が所定値ＦＧＡＳ１以下のときは圧縮機１を停止しないことによって、誤検出による圧縮機１の停止を防ぐことができる。
【００２６】
また、上記制御部１１は、圧縮機１の入力電流が所定値よりも小さいという停止条件が所定時間ＴＧＡＳ１継続したときに圧縮機１の運転を一旦停止することによって、上記停止条件を確実に判定して、誤判定による圧縮機１の停止を防ぐことができる。
【００２７】
（第２実施形態）
図３はこの発明の第２実施形態の空気調和機の概略ブロック図を示している。なお、この空気調和機の冷媒回路は、図５に示す従来の空気調和機と同一の構成をしており、同一構成部は説明を省略して、図５を援用する。
【００２８】
図３において、２１は制御部としてのマイコン、２２は上記マイコン２１により制御される圧縮機１を有する冷媒回路部、２３は上記圧縮機１の回転数を検出する回転数センサ、２４は室外熱交換器３(図５に示す)の温度を検出する室外熱交換器温度センサ、２５は外気温度を検出する外気温度センサ、２６は第２室内熱交換器７(図５に示す)の温度を検出する室内熱交換器温度センサ、２７は室内温度を検出する室内温度センサである。上記冷媒回路部２２は、図５と同様の構成をしており、第１実施形態の冷媒回路１２と同様の冷房サイクルによる再熱ドライ運転を行う。
【００２９】
上記構成の空気調和機において、冷房サイクルによる再熱ドライ運転時、上記冷媒回路部の室外熱交換器３(図５に示す)で自然風等により過大な熱交換が行われると、特に、室内温度が高いときに室内側の第１室内熱交換器５(図５に示す)で冷媒の蒸発が起こり、第１室内熱交換器５でガス冷媒が増加することによって、室内側の電動膨張弁６(図５に示す)が閉塞状態となって冷媒が流れなくなる。このとき、冷媒循環がないため、正常な再熱ドライ運転時に比べて室内温度と第２室内熱交換器７の温度との温度差および室外温度と室外熱交換器３の温度との温度差が小さくなる。したがって、冷媒循環がほとんどないときの室内温度と第２室内熱交換器７の温度との温度差に近い値および室外温度と室外熱交換器３の温度との温度差に近い値を、各温度差を判定する所定値に夫々設定することによって、室内温度と第２室内熱交換器７の温度との温度差が所定値より小さく、かつ、室外温度と室外熱交換器３の温度との温度差が所定値より小さくなったことを検知して、冷媒循環が止まっていることを知り、圧縮機１の運転を一旦停止することが可能となる。
【００３０】
図４は上記空気調和機のマイコン２１の動作を示すフローチャートを示しており、マイコン２１の冷媒づまりを検知して運転を停止する処理を図４に従って以下に説明する。
【００３１】
まず、再熱ドライ運転がスタートすると、ステップＳ１１で条件▲１▼が成立するか否かを判別する。すなわち、室内温度センサ２７により検出された室内温度と、室内熱交換器温度センサ２６により検出された第２室内熱交換器７の温度との温度差がｄＮＡＩ未満のときに条件▲１▼が成立し、上記温度差がｄＮＡＩ以上のときに条件▲１▼が成立しないと判別するのである。そうして、ステップＳ１１で条件▲１▼が成立しないと判別すると、ステップＳ１１を繰り返す一方、条件▲１▼が成立すると判別すると、ステップＳ１２に進む。
【００３２】
次に、ステップＳ１２で室外ファン９の回転数がＲＧＡＩ２(例えば３００rpm)を越えるか否かを判別して、室外ファン９の回転数がＲＧＡＩ２を越えると判別すると、ステップＳ１３に進み、室外ファン９の回転数がＲＧＡＩ２以下と判別すると、ステップＳ１３をスキップして、ステップＳ１４に進む。
【００３３】
次に、ステップＳ１３で条件▲２▼が成立するか否かを判別する。すなわち、室外温度と室外熱交換器温度との温度差がｄＧＡＩ未満のときに条件▲２▼が成立し、上記温度差がｄＧＡＩ以上のときに条件▲２▼が成立しないと判別するのである。そうして、ステップＳ１３で条件▲２▼が成立しないと判別すると、ステップＳ１３を繰り返す一方、条件▲２▼が成立すると判別すると、ステップＳ１４に進む。
【００３４】
次に、ステップＳ１４で条件▲１▼,▲２▼が成立し、かつ、室外ファン９の回転数がＲＧＡＩ２を越えた状態が所定時間ＴＧＡＳ２(例えば１０分間)継続したか否かを判別して、継続していないと判別すると、再びステップＳ１１に戻る一方、継続したと判別すると、ステップＳ１５に進む。または、ステップＳ１４で条件▲１▼が成立し、かつ、室外ファン９の回転数がＲＧＡＩ２以下の状態が所定時間ＴＧＡＳ２(例えば１０分間)継続したか否かを判別して、継続していないと判別すると、再びステップＳ１１に戻る一方、継続したと判別すると、ステップＳ１５に進む。
【００３５】
そして、ステップＳ１５で一旦、運転を停止して、所定時間(例えば３分間)経過後に圧縮機１を再起動する。
【００３６】
なお、上記ステップＳ１２で室外ファン９の回転数がＲＧＡＩ２以下のときに条件▲２▼を判断しないのは、室外熱交換器３からの輻射等による誤検出を避けるためである。
【００３７】
このように、室外ファン９の回転数がＲＧＡＩ２以下の場合は、室内温度と第2室内熱交換器７の温度との温度差がｄＮＡＩよりも小さくなったとき、室内用電動膨張弁６の閉塞により冷媒循環が止まっているものと判定して、制御部２１により運転を一旦停止する。また、室外ファン９の回転数がＲＧＡＩ２を越える場合は、室内温度と第2室内熱交換器７の温度との温度差がｄＮＡＩよりも小さく、かつ、室外温度と室外熱交換器３の温度との温度差がｄＧＡＩよりも小さくなったとき、室内用電動膨張弁６の閉塞により冷媒循環が止まっているものと判定して、制御部２１により運転を一旦停止する。したがって、上記室内用電動膨張弁６の閉塞状態が続くのを防いで、圧縮機１の信頼性を向上できると共に、快適な再熱ドライ運転を行うことができる。
【００３８】
また、上記圧縮機１の運転周波数を低くして、再熱ドライ運転の能力を下げた場合、室内温度と第2室内熱交換器７の温度との温度差および室外温度と室外熱交換器３の温度との温度差がほとんど無くなるので、運転周波数が所定値ＲＧＡＩ２以下のときは圧縮機１を停止する条件から除外することによって、誤検出により圧縮機１の停止を防止することができる。
【００３９】
また、上記制御部２１は、室内温度と第2室内熱交換器７の温度との温度差がｄＮＡＩよりも小さく、かつ、室外温度と室外熱交換器３の温度との温度差がｄＧＡＩよりも小さいという停止条件が所定時間ＴＧＡＳ２継続したときに圧縮機１の運転を一旦停止することによって、上記停止条件を確実に判定して、誤判定による圧縮機１の停止を防止することができる。
【００４０】
上記第１,第２実施形態における冷媒づまりを検知して運転を停止する処理の両方を１つの空気調和機に適用してもよい。
【００４１】
また、上記第２実施形態では、条件▲１▼と条件▲２▼のうちの少なくとも条件▲１▼が成立したときに運転を停止したが、条件▲１▼と条件▲２▼のうちの少なくとも条件▲２▼が成立したときに運転を停止してもよい。また、条件▲１▼と条件▲２▼のうちのいずれか一方のみを判定して、その判定結果に基づいて運転を停止する空気調和機でもよい。
【００４２】
【発明の効果】
以上より明らかなように、請求項１の発明の空気調和機は、圧縮機,室外熱交換器,第１減圧器,第１室内熱交換器,第２減圧器および第２室内熱交換器とを環状に接続して構成された冷媒回路を備え、冷房サイクルにより再熱ドライ運転を行う空気調和機において、上記圧縮機の入力電流を検出する電流センサと、上記電流センサにより検出された上記圧縮機の入力電流が所定値よりも小さいという停止条件を満足するとき、制御部は圧縮機の運転を所定時間停止するものである。
【００４３】
したがって、請求項１の発明の空気調和機によれば、冷房サイクルによる再熱ドライ運転時、室内側の第２減圧器が閉塞状態または閉塞状態に近い状態になって冷媒が流れにくくなって冷媒循環がほとんどなく、圧縮機の入力電流が所定値よりも小さくなると、冷媒循環が止まっているものとして、制御部により運転を所定時間停止するので、冷房サイクルによる再熱ドライ運転時に室内側の減圧器が閉塞状態で連続運転されるのを防止して、圧縮機の信頼性を向上できると共に、快適な再熱ドライ運転を行うことができる。
【００４４】
また、請求項２の発明の空気調和機は、圧縮機,室外熱交換器,第１減圧器,第１室内熱交換器,第２減圧器および第２室内熱交換器とを環状に接続して構成された冷媒回路を備え、冷房サイクルにより再熱ドライ運転を行う空気調和機において、室内温度を検出する室内温度センサと、上記第２室内熱交換器の温度を検出する室内熱交換器温度センサと、上記室内温度センサにより検出された室内温度と、上記室内熱交換器温度センサにより検出された第２室内熱交換器の温度との温度差が所定値よりも小さいという停止条件を満足するとき、制御部により圧縮機の運転を所定時間停止するものである。
【００４５】
したがって、請求項２の発明の空気調和機によれば、冷房サイクルによる再熱ドライ運転時、室内側の第２減圧器が閉塞状態または閉塞状態に近い状態になって冷媒が流れにくくなって冷媒循環がほとんどなく、室内温度と第２室内熱交換器の温度との温度差が所定値よりも小さくなると、冷媒循環が止まっているものとして、制御部により運転を所定時間停止するので、冷房サイクルによる再熱ドライ運転時に室内側の減圧器が閉塞状態で連続運転されるのを防止して、圧縮機の信頼性を向上できると共に、快適な再熱ドライ運転を行うことができる。
【００４６】
また、請求項３の発明の空気調和機は、圧縮機,室外熱交換器,第１減圧器,第１室内熱交換器,第２減圧器および第２室内熱交換器とを環状に接続して構成された冷媒回路を備え、冷房サイクルにより再熱ドライ運転を行う空気調和機において、室外温度を検出する室外温度センサと、上記室外熱交換器の温度を検出する室外熱交換器温度センサと、上記室外温度センサにより検出された室外温度と、上記室外熱交換器温度センサにより検出された上記室外熱交換器の温度との温度差が所定値よりも小さいという停止条件を満足するとき、上記圧縮機の運転を所定時間停止する制御部とを備えたことを特徴としている。
【００４７】
したがって、請求項３の発明の空気調和機によれば、冷房サイクルによる再熱ドライ運転時、室内側の第２減圧器が閉塞状態または閉塞状態に近い状態になって冷媒が流れにくくなって冷媒循環がほとんどなく、室外温度と室外熱交換器の温度との温度差が所定値よりも小さくなると、冷媒循環が止まっているものとして、制御部により運転を所定時間停止するので、冷房サイクルによる再熱ドライ運転時に室内側の減圧器が閉塞状態で連続運転されるのを防止して、圧縮機の信頼性を向上できると共に、快適な再熱ドライ運転を行うことができる。
【００４８】
また、請求項４の発明の空気調和機は、請求項１乃至３のいずれか１つの空気調和機において、上記停止条件を満足し、かつ、上記圧縮機の運転周波数が所定周波数よりも大きいという停止条件を満足するとき、上記制御部は上記圧縮機の運転を所定時間停止するので、再熱ドライ運転の能力を下げるために圧縮機の運転周波数を低くした場合、例えば、圧縮機の入力電流のばらつきが大きくなったり、室内温度と第2室内熱交換器の温度との温度差や室外温度と室外熱交換器の温度との温度差がほとんどなったりするので、運転周波数が所定周波数以下のときは圧縮機を停止する条件から除外することによって、誤検出により圧縮機の停止を防止できる。
【００４９】
また、請求項５の発明の空気調和機は、請求項１乃至４のいずれか１つの空気調和機において、上記制御部は、上記停止条件が所定時間継続したときに上記圧縮機の運転を所定時間停止するので、上記停止条件を確実に判定して、誤判定による圧縮機の停止を防止できる。
【図面の簡単な説明】
【図１】  図１はこの発明の第１実施形態の空気調和機の概略ブロック図である。
【図２】  図２は上記空気調和機のマイコンの動作を説明するフローチャートである。
【図３】  図３はこの発明の第１実施形態の空気調和機の概略ブロック図である。
【図４】  図４は上記空気調和機のマイコンの動作を説明するフローチャートである。
【図５】  図５は従来の空気調和機の回路図である。
【符号の説明】
１…圧縮機、２…四路弁、
３…室外熱交換器、４…電動膨張弁、
５…第１室内熱交換器、６…室内用電動膨張弁、
７…第２室内熱交換器、８…アキュムレータ。
【図１】
0004211122.tif 000002
【図２】
0004211122.tif 000003
【図３】
0004211122.tif 000004
【図４】
0004211122.tif 000005
【図５】
0004211122.tif 000006